(57)【特許請求の範囲】
【請求項１】
サーバと接続される送信機と、ケーブルを介して前記送信機に接続される受信機とを備える遠隔ユニットであって、
前記送信機は、
前記サーバから映像信号を受信する受信手段と、
前記映像信号の画質を調整するための調整用信号を作成せずに、前記映像信号を前記受信機に送信する送信手段とを備え、
前記受信機は、
前記映像信号の画質を調整する第１モードと、当該第１モードよりも詳細に前記映像信号の画質を調整する第２モードとのいずれか一方を、前記映像信号の画質の調整モードとして設定する第１設定手段と、
前記映像信号の画質の調整値を設定する第２設定手段と、
前記映像信号の画質を調整するための調整用信号に応じて前記映像信号の画質を調整することなく、前記第１設定手段で設定された調整モード及び前記第２設定手段で設定された調整値に応じて、前記映像信号の画質を調整する調整手段と、を備え、
前記調整手段は、前記第１設定手段で前記映像信号の画質の調整モードが選択された後に前記第２設定手段で設定された調整値に応じて、前記映像信号の画質を調整することを特徴とする遠隔ユニット。
【請求項２】
前記調整手段は、前記第１設定手段で前記第１モードが設定された場合に、前記第２設定手段で設定された調整値に応じて、前記映像信号のゲインを一律に調整し、
前記第１設定手段で前記第２モードが設定された場合には、前記第２設定手段で設定された調整値に応じて、前記映像信号のゲインを当該映像信号の所定の周波数毎に調整することを特徴とする請求項１に記載の遠隔ユニット。
【請求項３】
前記調整手段は、前記第１設定手段で前記第１モードが設定された場合に、前記第２設定手段で設定された調整値に応じて、前記映像信号の明るさを一律に調整し、
前記第１設定手段で前記第２モードが設定された場合には、前記第２設定手段で設定された調整値に応じて、前記映像信号の明るさを色毎に調整することを特徴とする請求項１又は２に記載の遠隔ユニット。
【請求項４】
前記調整手段は、前記第１設定手段で前記第１モードが設定された場合に、前記第２設定手段で設定された調整値に応じて、前記映像信号の波形を色毎に移動させる移動手段を備えることを特徴とする請求項１乃至３のいずれか１項に記載の遠隔ユニット。
【請求項５】
前記調整手段は、前記第２設定手段で設定された調整値に応じて、カットオフ周波数を変更するローパスフィルタを備え、
前記第１設定手段で前記第２モードが設定された場合に、前記ローパスフィルタは前記映像信号のノイズを除去することを特徴とする請求項１乃至４のいずれか１項に記載の遠隔ユニット。
【請求項６】
前記調整手段による画質の調整内容に応じて、点灯及び消灯の状態並びに点灯色を変更する複数の発光手段を備えていることを特徴とする請求項１乃至５のいずれか１項に記載の遠隔ユニット。
【発明の詳細な説明】
【技術分野】
【０００１】
本発明は、遠隔ユニットに関する。
【背景技術】
【０００２】
従来より、ローカル側のサーバとリモート側のモニタとの間に接続され、ローカル側のサーバからの映像をネットワークケーブルを介してリモート側のモニタに出力する遠隔ユニットが知られている（例えば、特許文献１参照）。この遠隔ユニットは、送信機と受信機とを備えている。送信機はローカル側のサーバに接続され、さらに、ネットワークケーブルを介して受信機に接続されている。受信機はリモート側のモニタに接続されている。受信機には、キーボードやマウスなども接続され、キーボードやマウスからのデータ信号は、受信機及び送信機を介してサーバに出力される。
【先行技術文献】
【特許文献】
【０００３】
【特許文献１】特開２００６−１８０４４３号公報
【発明の概要】
【発明が解決しようとする課題】
【０００４】
従来の遠隔ユニットでは、サーバからの映像信号のゲイン、周波数特性及び遅延などを大まかに調整することができるが、画質の調整を詳細にできないという課題がある。
【０００５】
本発明は、映像信号の画質を詳細に調整することができる遠隔ユニットを提供することを目的とする。
【課題を解決するための手段】
【０００６】
上記目的を達成するため、明細書に開示された遠隔ユニットは、サーバと接続される送信機と、ケーブルを介して前記送信機に接続される受信機とを備える遠隔ユニットであって、前記送信機は、前記サーバから映像信号を受信する受信手段と、前記映像信号の画質を調整するための調整用信号を作成せずに、前記映像信号を前記受信機に送信する送信手段とを備え、前記受信機は、前記映像信号の画質を調整する第１モードと、当該第１モードよりも詳細に前記映像信号の画質を調整する第２モードとのいずれか一方を、前記映像信号の画質の調整モードとして設定する第１設定手段と、前記映像信号の画質の調整値を設定する第２設定手段と、前記映像信号の画質を調整するための調整用信号に応じて前記映像信号の画質を調整することなく、前記第１設定手段で設定された調整モード及び前記第２設定手段で設定された調整値に応じて、前記映像信号の画質を調整する調整手段と、を備え、前記調整手段は、前記第１設定手段で前記映像信号の画質の調整モードが選択された後に前記第２設定手段で設定された調整値に応じて、前記映像信号の画質を調整することを特徴とする。
【発明の効果】
【０００７】
本発明によれば、映像信号の画質を詳細に調整することができる。
【図面の簡単な説明】
【０００８】
【図１】本実施の形態に係る遠隔ユニットの構成図である。
【図２】受信機のフロントパネルを示す図である。
【図３】（Ａ）は、色ズレ調整前の映像信号（Ｒ信号、Ｇ信号及びＢ信号）の信号波形を示す図であり、（Ｂ）は、色ズレ調整後の映像信号（Ｒ信号、Ｇ信号及びＢ信号）の信号波形を示す図である。
【図４】通常設定モードの操作処理を示すフローチャートである（その１）。
【図５】通常設定モードの操作処理を示すフローチャートである（その２）。
【図６】（Ａ）は、ゲイン調整前の映像信号（Ｒ信号、Ｇ信号及びＢ信号）の信号波形を示す図であり、（Ｂ）は、ゲイン調整後の映像信号（Ｒ信号、Ｇ信号及びＢ信号）の信号波形を示す図である。
【図７】（Ａ）〜（Ｃ）は、それぞれStage1〜3に対応する周波数及び振幅の関係（即ち、ゲイン特性）を示す図である。
【図８】（Ａ）は、明るさ調整前の映像信号（Ｒ信号、Ｇ信号及びＢ信号）の信号波形を示す図であり、（Ｂ）は、明るさ調整後の映像信号（Ｒ信号、Ｇ信号及びＢ信号）の信号波形を示す図である。
【図９】（Ａ）は、ノイズ調整前の映像信号（Ｒ信号、Ｇ信号及びＢ信号）の信号波形を示す図であり、（Ｂ）は、ノイズ調整後の映像信号（Ｒ信号、Ｇ信号及びＢ信号）の信号波形を示す図である。
【図１０】詳細設定モードの操作処理を示すフローチャートである（その１）。
【図１１】詳細設定モードの操作処理を示すフローチャートである（その２）。
【図１２】詳細設定モードの操作処理を示すフローチャートである（その３）。
【図１３】詳細設定モードの操作処理を示すフローチャートである（その４）。
【発明を実施するための形態】
【０００９】
以下、図面を参照しながら本発明の実施の形態を説明する。
【００１０】
図１は、本実施の形態に係る遠隔ユニットの構成図である。
【００１１】
図１に示すように、遠隔ユニット１０は、送信機３と受信機４とを備えている。送信機３が設置される場所をローカル側と呼び、受信機４が設置される場所をリモート側と呼ぶ。送信機３は、受信機４から数百メートル離れた場所に設置され、ＬＡＮ（Local Area Network）ケーブル７を介して受信機４に接続される。
【００１２】
サーバ１からの映像信号は、送信機３に送信され、ＬＡＮケーブル７を介して受信機４に送信される。受信機４は、サーバ１からの映像信号をモニタ６に出力する。一方、受信機４のＵＳＢＩＦ２１４〜２１７のいずれかに接続されているキーボード及びマウス（不図示）の操作信号は、受信機４、ＬＡＮケーブル７及び送信機３を介してサーバ１に送信される。このように、遠隔ユニット１０は、ローカル側のサーバ１の映像信号をリモート側のモニタ６に表示し、リモート側のキーボード及びマウスの操作信号をローカル側のサーバ１に送信する。尚、映像信号は、アナログＲＧＢ信号である。
【００１３】
送信機３は、マイコン１０１、ビデオアンプ１０２，１０４、同期信号受信部１０３、同期信号送信部１０５、差動ドライバ１０６、ＵＳＢ（Universal Serial Bus）モジュール１０７、ＲＳ−４８５トランシーバ１０８，１０９、ビデオインタフェース（ＩＦ）１１０，１１３、ＵＳＢＩＦ１１１、制御ＩＦ１１２及びＬＡＮＩＦ１１４を備えている。
【００１４】
受信機４は、マイコン２０１、差動レシーバ２０２、ディレイライン２０３、オフセット補正回路２０４、ビデオアンプ２０５、同期信号出力部２０６、ＵＳＢモジュール２０７、ＵＳＢハブコントローラ２０８、ブザー２０９、ＲＳ−４８５トランシーバ２１０，２１１、ＬＡＮＩＦ２１２、ビデオＩＦ２１３、ＵＳＢＩＦ２１４〜２１７、３色ＬＥＤ２１８〜２２０、セレクトスイッチ２２１、右スイッチ２２２、左スイッチ２２３、ＥＤＩＤスイッチ２２４、及びＰＣパワースイッチ２２５を備えている。
【００１５】
送信機３のマイコン１０１は、送信機３の全体の動作を制御する。例えば、マイコン１０１は、ビデオアンプ１０２，１０４での映像信号の画質調整、差動ドライバ１０６の動作制御、及びＲＳ−４８５トランシーバ１０８からの制御信号の送受信などを行う。マイコン１０１は、受信機４のＰＣパワースイッチ２２５の押下により、受信機４からサーバ１のオン又はオフ信号を受信し、制御ＩＦ１１２を介してリモート電源装置２にオン又はオフの制御信号を送信する。リモート電源装置２は、オンの制御信号をマイコン１０１から受信した場合には、サーバ１への電源供給を実行する。リモート電源装置２は、オフの制御信号をマイコン１０１から受信した場合には、サーバ１への電源供給を停止する。
【００１６】
送信機３のビデオアンプ１０２は、ビデオＩＦ１１０を介してサーバ１からの映像信号を増幅して、ビデオアンプ１０４及び差動ドライバ１０６に送信する。ビデオアンプ１０４は、ビデオアンプ１０２から映像信号を受信し、増幅して、ビデオＩＦ１１３を介してモニタ５に出力する。同期信号受信部１０３は、ビデオＩＦ１１０を介してサーバ１からの同期信号を受信し、同期信号送信部１０５及び差動ドライバ１０６に送信する。サーバ１からの同期信号は、水平同期信号及び垂直同期信号を含む。同期信号送信部１０５は、同期信号受信部１０３から同期信号を受信し、ビデオＩＦ１１３を介してモニタ５へ出力する。モニタ５は、同期信号送信部１０５からの同期信号を使って、ビデオアンプ１０４からの映像信号を表示する。
【００１７】
差動ドライバ１０６は、ビデオアンプ１０２からの映像信号及び同期信号受信部１０３からの同期信号を差動信号としてＬＡＮＩＦ１１４及びＬＡＮケーブル７を介して受信機４に送信する。このとき、差動ドライバ１０６は、映像信号に同期信号を重畳させてもよい。ＬＡＮケーブル７は、例えば、Ｃａｔ（カテゴリー）５ケーブルであり、４対のツイストペア線を含む。
【００１８】
ＲＳ−４８５トランシーバ１０８は、マイコン１０１から制御信号を受信し、ＬＡＮＩＦ１１４及びＬＡＮケーブル７を介して当該制御信号を受信機４に送信する、又はＬＡＮＩＦ１１４及びＬＡＮケーブル７を介して受信機４から制御信号を受信し、マイコン１０１へ送信する。ＲＳ−４８５トランシーバ１０９は、ＬＡＮＩＦ１１４及びＬＡＮケーブル７を介して受信機４から操作信号又はデータを受信し、ＵＳＢモジュール１０７へ送信する。また、ＲＳ−４８５トランシーバ１０９は、ＵＳＢモジュール１０７からデータを受信し、ＬＡＮＩＦ１１４及びＬＡＮケーブル７を介して受信機４へデータを送信する。ＵＳＢモジュール１０７は、サーバ１とＲＳ−４８５トランシーバ１０９との間でデータを送受信する。また、ＵＳＢモジュール１０７は、マイコン１０１へ各種の制御信号を送信する。
【００１９】
受信機４の差動レシーバ２０２は、映像信号及び同期信号を含む差動信号を受信し、映像信号と同期信号を分離する。分離された映像信号はディレイライン２０３に出力され、分離された同期信号は同期信号出力部２０６に出力される。また、差動レシーバ２０２は、映像信号のノイズ（高周波成分）をカットするローパスフィルタ２０２Ａを含む。差動レシーバ２０２は、映像信号の画質調整を行う。具体的には、差動レシーバ２０２は、映像信号のフォーカスの調整（映像信号の周波数毎のゲイン特性の調整を含む）、映像信号の明るさの調整、及び映像信号のノイズのカットなどを行う。
【００２０】
ディレイライン２０３は、映像信号、つまりＲＧＢ信号の色ズレを調整する回路である。例えば、ディレイライン２０３は、Ｂ信号及びＧ信号の信号波形に対してＲ信号の信号波形を進めたり、遅らせたりする。
【００２１】
オフセット補正回路２０４は、黒の映像信号の出力レベルを０Ｖに補正する回路である。映像信号が黒色である場合、理想的にはＲＧＢの各色の信号レベルは０Ｖである。しかしながら、映像信号が黒色である場合にも、ディレイライン２０３の出力として０．２Ｖ程度の電圧が現れる場合がある。この場合、本来黒色である映像信号が若干灰色になる。そこで、オフセット補正回路２０４は、この０．２Ｖ程度の電圧を０Ｖに補正する、即ち、ディレイライン２０３の実際の出力電圧を理想の出力電圧になるように補正する。
【００２２】
ビデオアンプ２０５は、オフセット補正回路２０４から受信した映像信号を増幅して、ビデオＩＦ２１３を介してモニタ６へ出力する。同期信号出力部２０６は同期信号を差動レシーバ２０２から受信し、ビデオＩＦ２１３を介してモニタ６へ出力する。モニタ６は、同期信号出力部２０６からの同期信号を使って、ビデオアンプ２０５からの映像信号を表示する。
【００２３】
受信機４のマイコン２０１は、差動レシーバ２０２及びディレイライン２０３へ映像信号の画質を制御する制御信号を出力する。マイコン２０１は、３色ＬＥＤ２１８〜２２０の各々の点灯、消灯及び点灯色を制御する。３色ＬＥＤ２１８〜２２０の各々は、赤色、緑色及び青色の３色で点灯可能である。また、マイコン２０１は、セレクトスイッチ２２１、右スイッチ２２２、左スイッチ２２３、ＥＤＩＤスイッチ２２４、及びＰＣパワースイッチ２２５からのオン信号又はオフ信号を受信する。また、マイコン２０１は、ブザー２０９の音声出力を制御する。ブザー２０９は、セレクトスイッチ２２１、右スイッチ２２２、左スイッチ２２３、ＥＤＩＤスイッチ２２４、及びＰＣパワースイッチ２２５の押下に応じて、ブザー音を出力する。
【００２４】
ＲＳ−４８５トランシーバ２１０は、マイコン２０１から制御信号を受信し、ＬＡＮＩＦ２１２及びＬＡＮケーブル７を介して当該制御信号を送信機３に送信する、又はＬＡＮＩＦ２１２及びＬＡＮケーブル７を介して送信機３から制御信号を受信し、マイコン２０１へ送信する。ＲＳ−４８５トランシーバ２１１は、ＬＡＮＩＦ２１２及びＬＡＮケーブル７を介して送信機３から操作信号又はデータを受信し、ＵＳＢモジュール２０７へ送信する。また、ＲＳ−４８５トランシーバ２１１は、ＵＳＢモジュール２０７からデータを受信し、ＬＡＮＩＦ２１２及びＬＡＮケーブル７を介して送信機３へデータを送信する。ＵＳＢモジュール２０７は、ＵＳＢハブコントローラ２０８とＲＳ−４８５トランシーバ２１１との間でデータを送受信する。また、ＵＳＢモジュール２０７は、ＵＳＢＩＦ２１４〜２１７を介してキーボード又はマウス（不図示）からマイコン２０１へ各種の制御信号を送信する。ＵＳＢハブコントローラ２０８は、ＵＳＢＩＦ２１４〜２１７を介して不図示のＵＳＢデバイス（例えば、キーボード、マウス、ＵＳＢメモリ）に接続され、ＵＳＢデバイスに対してデータの読み書きを実行する。
【００２５】
尚、マイコン２０１は、映像信号の画質の調整モードを設定する第１設定手段として機能し、右スイッチ２２２及び左スイッチ２２３は、画質の調整値を設定する第２設定手段として機能し、差動レシーバ２０２及びディレイライン２０３は画質を調整する調整手段として機能する。さらに、ディレイライン２０３は信号波形を移動させる移動手段として機能する。３色ＬＥＤ２１８〜２２０は発光手段として機能する。ブザー２０９は音声出力手段として機能する。
【００２６】
図２は、受信機４のフロントパネルを示す図である。
【００２７】
受信機４のフロントパネルは、電源ＬＥＤ２３０、３色ＬＥＤ２１８〜２２０、セレクトスイッチ２２１、右スイッチ２２２、左スイッチ２２３、ＰＣパワースイッチ２２５、及びＵＳＢＩＦ２１４〜２１７を備えている。尚、ＬＥＤやスイッチの個数は、図２の例に限定されない。また、上記のＬＥＤやスイッチは、受信機４の側面又は上面に形成されていてもよい。電源ＬＥＤ２３０は、受信機４に電源が投入されると点灯し、電源投入が切断されると消灯する。３色ＬＥＤ２１８〜２２０には、それぞれ「EQ/Skew」、「mode1」及び「mode2」というＬＥＤを識別するための名称が付されている。
【００２８】
操作者は、３色ＬＥＤ２１８〜２２０の色を見ながら、セレクトスイッチ２２１、右スイッチ２２２、左スイッチ２２３及びＰＣパワースイッチ２２５を操作することにより、映像信号の画質調整を行う。画質調整の項目は、映像信号のフォーカス（映像信号の周波数毎のゲイン特性の調整を含む）、映像信号の明るさ、映像信号の色ズレ、及び映像信号のノイズのカットを含む。
【００２９】
本実施の形態に係る遠隔ユニット１０の受信機４は、映像信号の画質の調整モードとして、おおまかに映像信号の画質を調整する第１モードとしての通常設定モードと、詳細に映像信号の画質を調整する第２モードとしての詳細設定モードとを有する。
【００３０】
受信機４の電源が投入されて、待機中にセレクトスイッチ２２１が押下されると、マイコン２０１は、映像信号の画質の調整モードを通常設定モードに設定する。一方、受信機４の電源が投入されて、待機中にセレクトスイッチ２２１、右スイッチ２２２、及び左スイッチ２２３が同時に押下されると、マイコン２０１は、映像信号の画質の調整モードを詳細設定モードに設定する。通常設定モードや詳細設定モードでの調整内容を確定すると、受信機４は待機中の状態に戻る。従って、操作者が、通常設定モードから詳細設定モードへ切り替える場合、又は詳細設定モードから通常設定モードへ切り替える場合には、一旦、通常設定モード又は詳細設定モードでの調整内容を確定する、即ち、調整を終了させる必要がある。
【００３１】
以下、通常設定モードについて説明する。
【００３２】
通常設定モードでは、差動レシーバ２０２が、右スイッチ２２２又は左スイッチ２２３の押下に応じて、映像信号のフォーカス及び明るさを大まかに調整する。さらに、通常設定モードでは、ディレイライン２０３が、右スイッチ２２２又は左スイッチ２２３の押下に応じて、映像信号（即ちＲＧＢ信号）の色ズレを大まかに調整する。通常設定モードでは、セレクトスイッチ２２１が押下される度に、ブザー２０９が「ピッ」というブザー音を出力し、マイコン２０１が映像信号のフォーカス、明るさ及び色ズレの調整モードを切り替える。具体的には、マイコン２０１は、「フォーカス調整モード」→「明るさ調整モード」→「赤の色ズレ調整モード」→「緑の色ズレ調整モード」→「青の色ズレ調整モード」→「調整の確定」→「フォーカス調整モード」の順番で、調整モードを切り替える。
【００３３】
【表１】
0006661274.tif 000002
【００３４】
通常設定モードでは、３色ＬＥＤ２１８〜２２０は、表１に従って、映像信号の画質の調整中に点灯する。従って、操作者は、３色ＬＥＤ２１８〜２２０の点灯色を見ることで、設定モードを識別することができる。また、設定モード毎に、右スイッチ２２２又は左スイッチ２２３による設定範囲（調整値の範囲）が異なるので、最小値及び最大値の例が表１に示されている。各設定モードの初期値は「０」である。また、表１のStepは、右スイッチ２２２又は左スイッチ２２３の１回の押下あたりの変動値を示している。例えば、表１では、右スイッチ２２２を１回押下すると、各設定モードの値が１だけ増加し、左スイッチ２２３を１回押下すると、各設定モードの値が１だけ減少する。
【００３５】
（１）フォーカス調整モード
フォーカス調整モードが選択されると、差動レシーバ２０２は、右スイッチ２２２又は左スイッチ２２３の押下に応じて、映像信号の画質がシャープになるように映像信号のフォーカス（即ち、映像信号のゲイン）を調整する。通常設定モードのフォーカス調整では、映像信号は所定の周波数毎にゲイン調整されることはなく、映像信号は、周波数とは関係なく一律に調整される。フォーカス調整モードでは、右スイッチ２２２又は左スイッチ２２３が押下される度に、ブザー２０９が「ピッ」というブザー音を出力する。
【００３６】
（２）明るさ調整モード
明るさ調整モードが選択されると、差動レシーバ２０２は、右スイッチ２２２又は左スイッチ２２３の押下に応じて、映像信号の明るさを調整する。通常設定モードの明るさ調整では、映像信号であるＲ信号、Ｇ信号及びＢ信号の明るさは、色毎に調整されることはなく、一律に調整される。明るさ調整モードでは、右スイッチ２２２又は左スイッチ２２３が押下される度に、ブザー２０９が「ピッ」というブザー音を出力する。
【００３７】
（３）色ズレ調整モード
セレクトスイッチ２２１の押下により、調整する色（赤、緑又は青）が切り替わるので、操作者は、色毎に色ズレの調整を行うことができる。操作者が調整する色を選択した後に、右スイッチ２２２を押下すると、ディレイライン２０３は、選択した色の信号波形を右側へ移動させる。操作者が調整する色を選択した後に、左スイッチ２２３を押下すると、ディレイライン２０３は、選択した色の信号波形を左側へ移動させる。色ズレ調整モードでは、右スイッチ２２２又は左スイッチ２２３が押下される度に、ブザー２０９が「ピッ」というブザー音を出力する。図３（Ａ）は、色ズレ調整前の映像信号（Ｒ信号、Ｇ信号及びＢ信号）の信号波形を示す図であり、図３（Ｂ）は、色ズレ調整後の映像信号（Ｒ信号、Ｇ信号及びＢ信号）の信号波形を示す図である。図３（Ｂ）では、Ｇ信号の色ズレを調整している。Ｇ信号がＲ信号及びＢ信号に対して右側に移動しており、Ｒ信号及びＢ信号から時間的に遅れている。尚、図３（Ａ）及び図３（Ｂ）の縦軸は、信号レベル（即ち電圧）を示し、図３（Ａ）及び図３（Ｂ）の横軸は時間を示す。
【００３８】
（４）調整の確定
「青の色ズレ調整モード」の後に、セレクトスイッチ２２１が押下されると、調整内容が確定する。セレクトスイッチ２２１が押下されると、ブザー２０９が「ピッ」というブザー音を出力するので、操作者は、調整内容がマイコン２０１に設定されたことを認識することができる。
【００３９】
図４及び図５は、通常設定モードの操作処理を示すフローチャートである。
【００４０】
まず、受信機４の電源が投入されて、受信機４は待機状態である（ステップＳ１）。操作者が、セレクトスイッチ２２１を押下すると、マイコン２０１は、映像信号の画質の調整モードを通常設定モードに設定する（ステップＳ２）。そして、マイコン２０１は、フォーカス調整モードに入り、３色ＬＥＤ２１８（EQ/Skew）を緑色に点灯し、３色ＬＥＤ２１９（mode1）を赤色に点灯する（ステップＳ３）。
【００４１】
マイコン２０１は、右スイッチ２２２又は左スイッチ２２３が押下されたか否かを判定する（ステップＳ４）。右スイッチ２２２又は左スイッチ２２３が押下されていない場合には（ステップＳ４でＮＯ）、手順はステップＳ７に進む。右スイッチ２２２又は左スイッチ２２３が押下された場合には（ステップＳ４でＹＥＳ）、マイコン２０１は、右スイッチ２２２又は左スイッチ２２３の押下に応じた制御信号を差動レシーバ２０２に出力し、差動レシーバ２０２は右スイッチ２２２又は左スイッチ２２３の押下に応じた制御信号に基づいて、映像信号のフォーカス調整を実行する（ステップＳ５）。尚、フォーカス調整では、映像信号であるＲ信号、Ｇ信号及びＢ信号のフォーカス調整が同時に実行される。
【００４２】
その後、操作者が映像信号の画質がシャープになったか否かを判定する（ステップＳ６）。操作者が映像信号の画質がシャープになっていないと判定した場合には（ステップＳ６でＮＯ）、手順はステップＳ４に戻る。一方、操作者が映像信号の画質がシャープになったと判定した場合には（ステップＳ６でＹＥＳ）、手順はステップＳ７に進む。
【００４３】
操作者が、セレクトスイッチ２２１を押下すると（ステップＳ７）、マイコン２０１は、明るさ調整モードに入り、３色ＬＥＤ２１８（EQ/Skew）を緑色に点灯し、３色ＬＥＤ２１９（mode1）を緑色に点灯する（ステップＳ８）。
【００４４】
マイコン２０１は、右スイッチ２２２又は左スイッチ２２３が押下されたか否かを判定する（ステップＳ９）。右スイッチ２２２又は左スイッチ２２３が押下されていない場合には（ステップＳ９でＮＯ）、手順はステップＳ１２に進む。右スイッチ２２２又は左スイッチ２２３が押下された場合には（ステップＳ９でＹＥＳ）、マイコン２０１は、右スイッチ２２２又は左スイッチ２２３の押下に応じた制御信号を差動レシーバ２０２に出力し、差動レシーバ２０２は右スイッチ２２２又は左スイッチ２２３の押下に応じた制御信号に基づいて、映像信号の明るさ調整を実行する（ステップＳ１０）。尚、明るさ調整では、映像信号であるＲ信号、Ｇ信号及びＢ信号の明るさ調整が同時に実行される。
【００４５】
その後、操作者が映像信号の明るさが適切になったか否かを判定する（ステップＳ１１）。操作者が映像信号の明るさが適切になっていないと判定した場合には（ステップＳ１１でＮＯ）、手順はステップＳ９に戻る。一方、操作者が映像信号の明るさが適切になったと判定した場合には（ステップＳ１１でＹＥＳ）、手順はステップＳ１２に進む。
【００４６】
次に、操作者が、セレクトスイッチ２２１を押下すると（ステップＳ１２）、マイコン２０１は、赤の色ズレ調整モードに入り、３色ＬＥＤ２１８（EQ/Skew）を赤色に点灯し、３色ＬＥＤ２１９（mode1）を赤色に点灯する（ステップＳ１３）。
【００４７】
マイコン２０１は、右スイッチ２２２又は左スイッチ２２３が押下されたか否かを判定する（ステップＳ１４）。右スイッチ２２２又は左スイッチ２２３が押下されていない場合には（ステップＳ１４でＮＯ）、手順はステップＳ１７に進む。右スイッチ２２２又は左スイッチ２２３が押下された場合には（ステップＳ１４でＹＥＳ）、マイコン２０１は、右スイッチ２２２又は左スイッチ２２３の押下に応じた制御信号をディレイライン２０３に出力し、ディレイライン２０３は右スイッチ２２２又は左スイッチ２２３の押下に応じた制御信号に基づいて、赤の信号波形を移動させる（ステップＳ１５）。
【００４８】
その後、操作者が赤の色ズレがあるか否かを判定する（ステップＳ１６）。操作者が赤の色ズレがあると判定した場合には（ステップＳ１６でＹＥＳ）、手順はステップＳ１４に戻る。一方、操作者が赤の色ズレがないと判定した場合には（ステップＳ１６でＮＯ）、手順はステップＳ１７に進む。
【００４９】
次に、操作者が、セレクトスイッチ２２１を押下すると（ステップＳ１７）、マイコン２０１は、緑の色ズレ調整モードに入り、３色ＬＥＤ２１８（EQ/Skew）を赤色に点灯し、３色ＬＥＤ２１９（mode1）を緑色に点灯する（ステップＳ１８）。
【００５０】
マイコン２０１は、右スイッチ２２２又は左スイッチ２２３が押下されたか否かを判定する（ステップＳ１９）。右スイッチ２２２又は左スイッチ２２３が押下されていない場合には（ステップＳ１９でＮＯ）、手順はステップＳ２２に進む。右スイッチ２２２又は左スイッチ２２３が押下された場合には（ステップＳ１９でＹＥＳ）、マイコン２０１は、右スイッチ２２２又は左スイッチ２２３の押下に応じた制御信号をディレイライン２０３に出力し、ディレイライン２０３は右スイッチ２２２又は左スイッチ２２３の押下に応じた制御信号に基づいて、緑の信号波形を移動させる（ステップＳ２０）。
【００５１】
その後、操作者が緑の色ズレがあるか否かを判定する（ステップＳ２１）。操作者が緑の色ズレがあると判定した場合には（ステップＳ２１でＹＥＳ）、手順はステップＳ１９に戻る。一方、操作者が緑の色ズレがないと判定した場合には（ステップＳ２１でＮＯ）、手順はステップＳ２２に進む。
【００５２】
次に、操作者が、セレクトスイッチ２２１を押下すると（ステップＳ２２）、マイコン２０１は、青の色ズレ調整モードに入り、３色ＬＥＤ２１８（EQ/Skew）を赤色に点灯し、３色ＬＥＤ２１９（mode1）を青色に点灯する（ステップＳ２３）。
【００５３】
マイコン２０１は、右スイッチ２２２又は左スイッチ２２３が押下されたか否かを判定する（ステップＳ２４）。右スイッチ２２２又は左スイッチ２２３が押下されていない場合には（ステップＳ２４でＮＯ）、手順はステップＳ２７に進む。右スイッチ２２２又は左スイッチ２２３が押下された場合には（ステップＳ２４でＹＥＳ）、マイコン２０１は、右スイッチ２２２又は左スイッチ２２３の押下に応じた制御信号をディレイライン２０３に出力し、ディレイライン２０３は右スイッチ２２２又は左スイッチ２２３の押下に応じた制御信号に基づいて、青の信号波形を移動させる（ステップＳ２５）。
【００５４】
その後、操作者が青の色ズレがあるか否かを判定する（ステップＳ２６）。操作者が青の色ズレがあると判定した場合には（ステップＳ２６でＹＥＳ）、手順はステップＳ２４に戻る。一方、操作者が青の色ズレがないと判定した場合には（ステップＳ２６でＮＯ）、手順はステップＳ２７に進む。
【００５５】
次に、操作者が、セレクトスイッチ２２１を押下すると（ステップＳ２７）、マイコン２０１は、調整内容を確定して、３色ＬＥＤ２１８（EQ/Skew）及び３色ＬＥＤ２１９（mode1）を消灯する（ステップＳ２８）。その後、受信機４は待機状態になり（ステップＳ２９）、本処理を終了する。
【００５６】
次に、詳細設定モードについて説明する。
【００５７】
詳細設定モードでは、差動レシーバ２０２が、右スイッチ２２２又は左スイッチ２２３の押下に応じて、映像信号のフォーカス（周波数毎のゲイン調整）、明るさ（色別の輝度）及びノイズ（ローパスフィルタ２０２Ａのカットオフ周波数）を詳細に調整する。詳細設定モードでは、セレクトスイッチ２２１が押下される度に、ブザー２０９が「ピッ」というブザー音を出力し、マイコン２０１が映像信号のフォーカス、明るさ及びノイズの調整モードを切り替える。具体的には、マイコン２０１は、「周波数ゲイン調整モード（１００MHz  Stage1）」→「周波数ゲイン調整モード（１００MHz  Stage2）」→「周波数ゲイン調整モード（１００MHz  Stage3）」→「周波数ゲイン調整モード（６MHz）」→「周波数ゲイン調整モード（２０MHz）」→「周波数ゲイン調整モード（２００kHz）」→「周波数ゲイン調整モード（１MHz）」→「赤の明るさ調整モード」→「緑の明るさ調整モード」→「青の明るさ調整モード」→「ノイズフィルタ」の順番で、調整モードを切り替える。
【００５８】
【表２】
0006661274.tif 000003
【００５９】
詳細設定モードでは、３色ＬＥＤ２１８〜２２０は、表２に従って、映像信号の画質の調整中に点灯する。従って、操作者は、３色ＬＥＤ２１８〜２２０の点灯色を見ることで、設定モードを識別することができる。また、設定モード毎に、右スイッチ２２２又は左スイッチ２２３による設定範囲（調整値の範囲）が異なるので、最小値及び最大値の例が表２に示されている。各設定モードの初期値は「０」である。また、表２のStepは、右スイッチ２２２又は左スイッチ２２３の１回の押下あたりの変動値を示している。例えば、表２では、右スイッチ２２２を１回押下すると、各設定モードの値が１だけ増加し、左スイッチ２２３を１回押下すると、各設定モードの値が１だけ減少する。
【００６０】
（１）周波数ゲイン調整モード
操作者が周波数毎のゲイン特性を調整する場合には、操作者は、セレクトスイッチ２２１を押下し、調整する周波数を選択する。調整する周波数が選択されると、差動レシーバ２０２は、右スイッチ２２２の押下に応じて、現状のゲイン特性をその周波数における信号レベルが大きくなるゲイン特性に変更する。同様に、差動レシーバ２０２は、左スイッチ２２３の押下に応じて、現状のゲイン特性をその周波数における信号レベルが小さくなるゲイン特性に変更する。周波数ゲイン調整モードでは、右スイッチ２２２又は左スイッチ２２３が押下される度に、ブザー２０９が「ピッ」というブザー音を出力する。
【００６１】
例えば、図６（Ａ）は、ゲイン調整前の映像信号（Ｒ信号、Ｇ信号及びＢ信号）の信号波形を示す図であり、図６（Ｂ）は、ゲイン調整後の映像信号（Ｒ信号、Ｇ信号及びＢ信号）の信号波形を示す図である。図６（Ａ）の左側の波形Ｐ１が１本の細線を示し、図６（Ａ）の右側の波形Ｐ２が１本の太線を示す。図６（Ｂ）は、右スイッチ２２２が押下され、図６（Ａ）のゲイン特性が信号レベルが大きくなるゲイン特性に変更された状態を示す。図６（Ｂ）では、ゲイン特性が信号レベルが大きくなるゲイン特性に変更されているので、波形Ｐ１のエッジＥ１及び波形Ｐ２のエッジＥ２が増大している。つまり、高周波帯の信号レベルが大きくなり、結果的に、細線や太線の輪郭部分が強調され、画質がシャープになる。
【００６２】
また、周波数ゲイン調整モードのStage1〜3では、１００ＭＨｚ周辺で得られるゲイン特性がそれぞれ異なる。図７（Ａ）〜（Ｃ）は、それぞれStage1〜3に対応する周波数及び振幅の関係（即ち、ゲイン特性）を示す図である。図７（Ａ）〜（Ｃ）の横軸は周波数を示し、縦軸は振幅を示す。図７（Ａ）のStage1では、レベル変化なし（０ｄＢのまま）のゲイン特性を含めて４種類のゲイン特性の選択が可能である。図７（Ｂ）のStage2では、レベル変化なし（０ｄＢのまま）のゲイン特性を含めて８種類のゲイン特性の選択が可能である。周波数が１００ＭＨｚを越えると、振幅が小さくなるゲイン特性もStage2に含まれている。図７（Ｃ）のStage3では、レベル変化なし（０ｄＢのまま）のゲイン特性を含めて８種類のゲイン特性の選択が可能である。また、図７（Ｃ）のStage3では、Stage1及びStage2のゲイン特性より大きいゲイン特性が得られる。
【００６３】
（２）明るさ調整モード
操作者が明るさを調整する場合には、操作者は、セレクトスイッチ２２１を押下し、調整する信号の色を選択する。調整する色が選択されると、差動レシーバ２０２は、右スイッチ２２２又は左スイッチ２２３の押下に応じて、映像信号の明るさを調整する。明るさ調整モードでは、右スイッチ２２２又は左スイッチ２２３が押下される度に、ブザー２０９が「ピッ」というブザー音を出力する。
【００６４】
例えば、図８（Ａ）は、明るさ調整前の映像信号（Ｒ信号、Ｇ信号及びＢ信号）の信号波形を示す図であり、図８（Ｂ）は、明るさ調整後の映像信号（Ｒ信号、Ｇ信号及びＢ信号）の信号波形を示す図である。図８（Ｂ）では、Ｒ信号の明るさの調整が行われており、Ｒ信号の信号レベルが増大している。
【００６５】
（３）ノイズフィルタモード
操作者がノイズ（例えば、画面のちらつき）を軽減する場合には、操作者は、セレクトスイッチ２２１を押下し、ノイズフィルタモードを選択する。ノイズフィルタモードが選択されると、差動レシーバ２０２は、右スイッチ２２２の押下に応じて、ローパスフィルタ２０２Ａが通す信号のカットオフ周波数を高くする。同様に、差動レシーバ２０２は、左スイッチ２２３の押下に応じて、ローパスフィルタ２０２Ａが通す信号のカットオフ周波数を低くする。ノイズフィルタモードでは、右スイッチ２２２又は左スイッチ２２３が押下される度に、ブザー２０９が「ピッ」というブザー音を出力する。
【００６６】
例えば、図９（Ａ）は、ノイズ調整前の映像信号（Ｒ信号、Ｇ信号及びＢ信号）の信号波形を示す図であり、図９（Ｂ）は、ノイズ調整後の映像信号（Ｒ信号、Ｇ信号及びＢ信号）の信号波形を示す図である。図９（Ｂ）では、ローパスフィルタ２０２Ａが通す信号のカットオフ周波数を低くしている。従って、各信号波形のリップル部分（細かい波形）が滑らかになり、且つ高周波帯の信号レベル（例えば、波形Ｐ１のエッジＥ１及び波形Ｐ２のエッジＥ２）が低下している。
【００６７】
（４）調整の確定
ＰＣパワースイッチ２２５が押下されると、マイコン２０１は、３色ＬＥＤ２１８〜２２０を消灯し、調整内容を確定し、詳細設定モードを終了する。ＰＣパワースイッチ２２５が押下されると、ブザー２０９が「ピッ」というブザー音を出力するので、操作者は、調整内容がマイコン２０１に設定されたことを認識することができる。
【００６８】
図１０〜図１３は、詳細設定モードの操作処理を示すフローチャートである。
【００６９】
まず、受信機４の電源が投入されて、受信機４は待機状態である（ステップＳ３１）。操作者が、右スイッチ２２２、左スイッチ２２３及びセレクトスイッチ２２１を同時に押下すると、マイコン２０１は、映像信号の画質の調整モードを詳細設定モードに設定する（ステップＳ３２）。
【００７０】
そして、マイコン２０１は、周波数ゲイン調整モード（１００MHz  Stage1）に入り、３色ＬＥＤ２１８（EQ/Skew）を青色に点灯し、３色ＬＥＤ２１９（mode1）及び３色ＬＥＤ２２０（mode2）を赤色に点灯する（ステップＳ３３）。
【００７１】
マイコン２０１は、右スイッチ２２２又は左スイッチ２２３が押下されたか否かを判定する（ステップＳ３４）。右スイッチ２２２又は左スイッチ２２３が押下されていない場合には（ステップＳ３４でＮＯ）、手順はステップＳ３７に進む。右スイッチ２２２又は左スイッチ２２３が押下された場合には（ステップＳ３４でＹＥＳ）、マイコン２０１は、右スイッチ２２２又は左スイッチ２２３の押下に応じた制御信号を差動レシーバ２０２に出力し、差動レシーバ２０２は、右スイッチ２２２又は左スイッチ２２３の押下に応じた制御信号に基づいて、映像信号のゲイン調整を実行する（ステップＳ３５）。例えば、現状のゲイン特性が図７（Ａ）に示すレベル変化なし（０ｄＢのまま）のゲイン特性であり、且つ右スイッチ２２２が押下された場合には、差動レシーバ２０２は、右スイッチ２２２の押下に対応する、図７（Ａ）に示す他の３つのゲイン特性のいずれか１つに従って映像信号のゲイン調整を実行する。例えば、現状のゲイン特性が図７（Ａ）に示す最大のゲイン特性であり、且つ左スイッチ２２３が押下された場合には、差動レシーバ２０２は、左スイッチ２２３の押下に対応する、図７（Ａ）に示す他の３つのゲイン特性のいずれか１つに従って映像信号のゲイン調整を実行する。尚、ゲイン調整では、映像信号であるＲ信号、Ｇ信号及びＢ信号の調整が同時に実行される。
【００７２】
その後、操作者が映像信号の画質がシャープになったか否かを判定する（ステップＳ３６）。操作者が映像信号の画質がシャープになっていないと判定した場合には（ステップＳ３６でＮＯ）、手順はステップＳ３４に戻る。一方、操作者が映像信号の画質がシャープになったと判定した場合には（ステップＳ３６でＹＥＳ）、手順はステップＳ３７に進む。ステップＳ３４でＮＯの場合及びステップＳ３６でＹＥＳの場合に、ＰＣパワースイッチ２２５が押下されると、マイコン２０１は、３色ＬＥＤ２１８〜２２０（EQ/Skew、mode1及びmode2）を消灯し、調整内容を確定し、詳細設定モードを終了する（ステップＳ８９）。その後、受信機４は待機状態になり（ステップＳ９０）、本処理を終了する。
【００７３】
次に、操作者が、セレクトスイッチ２２１を押下すると（ステップＳ３７）、マイコン２０１は、周波数ゲイン調整モード（１００MHz  Stage2）に入り、３色ＬＥＤ２１８（EQ/Skew）を青色に点灯し、３色ＬＥＤ２１９（mode1）を赤色に点灯し、３色ＬＥＤ２２０（mode2）を緑色に点灯する（ステップＳ３８）。
【００７４】
マイコン２０１は、右スイッチ２２２又は左スイッチ２２３が押下されたか否かを判定する（ステップＳ３９）。右スイッチ２２２又は左スイッチ２２３が押下されていない場合には（ステップＳ３９でＮＯ）、手順はステップＳ４２に進む。右スイッチ２２２又は左スイッチ２２３が押下された場合には（ステップＳ３９でＹＥＳ）、マイコン２０１は、右スイッチ２２２又は左スイッチ２２３の押下に応じた制御信号を差動レシーバ２０２に出力し、差動レシーバ２０２は、右スイッチ２２２又は左スイッチ２２３の押下に応じた制御信号に基づいて、映像信号のゲイン調整を実行する（ステップＳ４０）。例えば、現状のゲイン特性が図７（Ｂ）に示すレベル変化なし（０ｄＢのまま）のゲイン特性であり、且つ右スイッチ２２２が押下された場合には、差動レシーバ２０２は、右スイッチ２２２の押下に対応する、図７（Ｂ）に示す他の７つのゲイン特性のいずれか１つに従って映像信号のゲイン調整を実行する。例えば、現状のゲイン特性が図７（Ｂ）に示す最大のゲイン特性であり、且つ左スイッチ２２３が押下された場合には、差動レシーバ２０２は、左スイッチ２２３の押下に対応する、図７（Ｂ）に示す他の７つのゲイン特性のいずれか１つに従って映像信号のゲイン調整を実行する。尚、ゲイン調整では、映像信号であるＲ信号、Ｇ信号及びＢ信号の調整が同時に実行される。
【００７５】
その後、操作者が映像信号の画質がシャープになったか否かを判定する（ステップＳ４１）。操作者が映像信号の画質がシャープになっていないと判定した場合には（ステップＳ４１でＮＯ）、手順はステップＳ３９に戻る。一方、操作者が映像信号の画質がシャープになったと判定した場合には（ステップＳ４１でＹＥＳ）、手順はステップＳ４２に進む。ステップＳ３９でＮＯの場合及びステップＳ４１でＹＥＳの場合に、ＰＣパワースイッチ２２５が押下されると、手順はステップＳ８９に進む。
【００７６】
次に、操作者が、セレクトスイッチ２２１を押下すると（ステップＳ４２）、マイコン２０１は、周波数ゲイン調整モード（１００MHz  Stage3）に入り、３色ＬＥＤ２１８（EQ/Skew）を青色に点灯し、３色ＬＥＤ２１９（mode1）を赤色に点灯し、３色ＬＥＤ２２０（mode2）を青色に点灯する（ステップＳ４３）。
【００７７】
マイコン２０１は、右スイッチ２２２又は左スイッチ２２３が押下されたか否かを判定する（ステップＳ４４）。右スイッチ２２２又は左スイッチ２２３が押下されていない場合には（ステップＳ４４でＮＯ）、手順はステップＳ４７に進む。右スイッチ２２２又は左スイッチ２２３が押下された場合には（ステップＳ４４でＹＥＳ）、マイコン２０１は、右スイッチ２２２又は左スイッチ２２３の押下に応じた制御信号を差動レシーバ２０２に出力し、差動レシーバ２０２は、右スイッチ２２２又は左スイッチ２２３の押下に応じた制御信号に基づいて、映像信号のゲイン調整を実行する（ステップＳ４５）。例えば、現状のゲイン特性が図７（Ｃ）に示すレベル変化なし（０ｄＢのまま）のゲイン特性であり、且つ右スイッチ２２２が押下された場合には、差動レシーバ２０２は、右スイッチ２２２の押下に対応する、図７（Ｃ）に示す他の７つのゲイン特性のいずれか１つに従って映像信号のゲイン調整を実行する。例えば、現状のゲイン特性が図７（Ｃ）に示す最大のゲイン特性であり、且つ左スイッチ２２３が押下された場合には、差動レシーバ２０２は、左スイッチ２２３の押下に対応する、図７（Ｃ）に示す他の７つのゲイン特性のいずれか１つに従って映像信号のゲイン調整を実行する。尚、ゲイン調整では、映像信号であるＲ信号、Ｇ信号及びＢ信号の調整が同時に実行される。
【００７８】
その後、操作者が映像信号の画質がシャープになったか否かを判定する（ステップＳ４６）。操作者が映像信号の画質がシャープになっていないと判定した場合には（ステップＳ４６でＮＯ）、手順はステップＳ４４に戻る。一方、操作者が映像信号の画質がシャープになったと判定した場合には（ステップＳ４６でＹＥＳ）、手順はステップＳ４７に進む。ステップＳ４４でＮＯの場合及びステップＳ４６でＹＥＳの場合に、ＰＣパワースイッチ２２５が押下されると、手順はステップＳ８９に進む。
【００７９】
次に、操作者が、セレクトスイッチ２２１を押下すると（ステップＳ４７）、マイコン２０１は、周波数ゲイン調整モード（６MHz）に入り、３色ＬＥＤ２１８（EQ/Skew）を青色に点灯し、３色ＬＥＤ２１９（mode1）を緑色に点灯し、３色ＬＥＤ２２０（mode2）を赤色に点灯する（ステップＳ４８）。
【００８０】
マイコン２０１は、右スイッチ２２２又は左スイッチ２２３が押下されたか否かを判定する（ステップＳ４９）。右スイッチ２２２又は左スイッチ２２３が押下されていない場合には（ステップＳ４９でＮＯ）、手順はステップＳ５２に進む。右スイッチ２２２又は左スイッチ２２３が押下された場合には（ステップＳ４９でＹＥＳ）、マイコン２０１は、右スイッチ２２２又は左スイッチ２２３の押下に応じた制御信号を差動レシーバ２０２に出力し、差動レシーバ２０２は右スイッチ２２２又は左スイッチ２２３の押下に応じた制御信号に基づいて、映像信号のゲイン調整を実行する（ステップＳ５０）。尚、６MHzのゲイン特性を調整するためのデータは差動レシーバ２０２が予め備えている。
【００８１】
その後、操作者が映像信号の画質がシャープになったか否かを判定する（ステップＳ５１）。操作者が映像信号の画質がシャープになっていないと判定した場合には（ステップＳ５１でＮＯ）、手順はステップＳ４９に戻る。一方、操作者が映像信号の画質がシャープになったと判定した場合には（ステップＳ５１でＹＥＳ）、手順はステップＳ５２に進む。ステップＳ４９でＮＯの場合及びステップＳ５１でＹＥＳの場合に、ＰＣパワースイッチ２２５が押下されると、手順はステップＳ８９に進む。
【００８２】
次に、操作者が、セレクトスイッチ２２１を押下すると（ステップＳ５２）、マイコン２０１は、周波数ゲイン調整モード（２０MHz）に入り、３色ＬＥＤ２１８（EQ/Skew）を青色に点灯し、３色ＬＥＤ２１９（mode1）及び３色ＬＥＤ２２０（mode2）を緑色に点灯する（ステップＳ５３）。
【００８３】
マイコン２０１は、右スイッチ２２２又は左スイッチ２２３が押下されたか否かを判定する（ステップＳ５４）。右スイッチ２２２又は左スイッチ２２３が押下されていない場合には（ステップＳ５４でＮＯ）、手順はステップＳ５７に進む。右スイッチ２２２又は左スイッチ２２３が押下された場合には（ステップＳ５４でＹＥＳ）、マイコン２０１は、右スイッチ２２２又は左スイッチ２２３の押下に応じた制御信号を差動レシーバ２０２に出力し、差動レシーバ２０２は右スイッチ２２２又は左スイッチ２２３の押下に応じた制御信号に基づいて、映像信号のゲイン調整を実行する（ステップＳ５５）。尚、２０MHzのゲイン特性を調整するためのデータは差動レシーバ２０２が予め備えている。
【００８４】
その後、操作者が映像信号の画質がシャープになったか否かを判定する（ステップＳ５６）。操作者が映像信号の画質がシャープになっていないと判定した場合には（ステップＳ５６でＮＯ）、手順はステップＳ５４に戻る。一方、操作者が映像信号の画質がシャープになったと判定した場合には（ステップＳ５６でＹＥＳ）、手順はステップＳ５７に進む。ステップＳ５４でＮＯの場合及びステップＳ５６でＹＥＳの場合に、ＰＣパワースイッチ２２５が押下されると、手順はステップＳ８９に進む。
【００８５】
次に、操作者が、セレクトスイッチ２２１を押下すると（ステップＳ５７）、マイコン２０１は、周波数ゲイン調整モード（２００kHz）に入り、３色ＬＥＤ２１８（EQ/Skew）を青色に点灯し、３色ＬＥＤ２１９（mode1）を緑色に点灯し、３色ＬＥＤ２２０（mode2）を青色に点灯する（ステップＳ５８）。
【００８６】
マイコン２０１は、右スイッチ２２２又は左スイッチ２２３が押下されたか否かを判定する（ステップＳ５９）。右スイッチ２２２又は左スイッチ２２３が押下されていない場合には（ステップＳ５９でＮＯ）、手順はステップＳ６２に進む。右スイッチ２２２又は左スイッチ２２３が押下された場合には（ステップＳ５９でＹＥＳ）、マイコン２０１は、右スイッチ２２２又は左スイッチ２２３の押下に応じた制御信号を差動レシーバ２０２に出力し、差動レシーバ２０２は右スイッチ２２２又は左スイッチ２２３の押下に応じた制御信号に基づいて、映像信号のゲイン調整を実行する（ステップＳ６０）。尚、２００kHzのゲイン特性を調整するためのデータは差動レシーバ２０２が予め備えている。
【００８７】
その後、操作者が映像信号の画質がシャープになったか否かを判定する（ステップＳ６１）。操作者が映像信号の画質がシャープになっていないと判定した場合には（ステップＳ６１でＮＯ）、手順はステップＳ５９に戻る。一方、操作者が映像信号の画質がシャープになったと判定した場合には（ステップＳ６１でＹＥＳ）、手順はステップＳ６２に進む。ステップＳ５９でＮＯの場合及びステップＳ６１でＹＥＳの場合に、ＰＣパワースイッチ２２５が押下されると、手順はステップＳ８９に進む。
【００８８】
次に、操作者が、セレクトスイッチ２２１を押下すると（ステップＳ６２）、マイコン２０１は、周波数ゲイン調整モード（１MHz）に入り、３色ＬＥＤ２１８（EQ/Skew）及び３色ＬＥＤ２１９（mode1）を青色に点灯し、３色ＬＥＤ２２０（mode2）を赤色に点灯する（ステップＳ６３）。
【００８９】
マイコン２０１は、右スイッチ２２２又は左スイッチ２２３が押下されたか否かを判定する（ステップＳ６４）。右スイッチ２２２又は左スイッチ２２３が押下されていない場合には（ステップＳ６４でＮＯ）、手順はステップＳ６７に進む。右スイッチ２２２又は左スイッチ２２３が押下された場合には（ステップＳ６４でＹＥＳ）、マイコン２０１は、右スイッチ２２２又は左スイッチ２２３の押下に応じた制御信号を差動レシーバ２０２に出力し、差動レシーバ２０２は右スイッチ２２２又は左スイッチ２２３の押下に応じた制御信号に基づいて、映像信号のゲイン調整を実行する（ステップＳ６５）。尚、１MHzのゲイン特性を調整するためのデータは差動レシーバ２０２が予め備えている。
【００９０】
その後、操作者が映像信号の画質がシャープになったか否かを判定する（ステップＳ６６）。操作者が映像信号の画質がシャープになっていないと判定した場合には（ステップＳ６６でＮＯ）、手順はステップＳ６４に戻る。一方、操作者が映像信号の画質がシャープになったと判定した場合には（ステップＳ６６でＹＥＳ）、手順はステップＳ６７に進む。ステップＳ６４でＮＯの場合及びステップＳ６６でＹＥＳの場合に、ＰＣパワースイッチ２２５が押下されると、手順はステップＳ８９に進む。
【００９１】
次に、操作者が、セレクトスイッチ２２１を押下すると（ステップＳ６７）、マイコン２０１は、赤の明るさ調整モードに入り、３色ＬＥＤ２１８（EQ/Skew）を青色に点灯し、３色ＬＥＤ２１９（mode1）を消灯し、３色ＬＥＤ２２０（mode2）を赤色に点灯する（ステップＳ６８）。
【００９２】
マイコン２０１は、右スイッチ２２２又は左スイッチ２２３が押下されたか否かを判定する（ステップＳ６９）。右スイッチ２２２又は左スイッチ２２３が押下されていない場合には（ステップＳ６９でＮＯ）、手順はステップＳ７２に進む。右スイッチ２２２又は左スイッチ２２３が押下された場合には（ステップＳ６９でＹＥＳ）、マイコン２０１は、右スイッチ２２２又は左スイッチ２２３の押下に応じた制御信号を差動レシーバ２０２に出力し、差動レシーバ２０２は右スイッチ２２２又は左スイッチ２２３の押下に応じた制御信号に基づいて、映像信号の明るさ調整を実行する（ステップＳ７０）。
【００９３】
その後、操作者が映像信号の明るさが適切になったか否かを判定する（ステップＳ７１）。操作者が映像信号の明るさが適切になっていないと判定した場合には（ステップＳ７１でＮＯ）、手順はステップＳ６９に戻る。一方、操作者が映像信号の明るさが適切になったと判定した場合には（ステップＳ７１でＹＥＳ）、手順はステップＳ７２に進む。尚、ステップＳ６９でＮＯの場合及びステップＳ７１でＹＥＳの場合に、ＰＣパワースイッチ２２５が押下されると、手順はステップＳ８９に進む。
【００９４】
次に、操作者が、セレクトスイッチ２２１を押下すると（ステップＳ７２）、マイコン２０１は、緑の明るさ調整モードに入り、３色ＬＥＤ２１８（EQ/Skew）を青色に点灯し、３色ＬＥＤ２１９（mode1）を消灯し、３色ＬＥＤ２２０（mode2）を緑色に点灯する（ステップＳ７３）。
【００９５】
マイコン２０１は、右スイッチ２２２又は左スイッチ２２３が押下されたか否かを判定する（ステップＳ７４）。右スイッチ２２２又は左スイッチ２２３が押下されていない場合には（ステップＳ７４でＮＯ）、手順はステップＳ７７に進む。右スイッチ２２２又は左スイッチ２２３が押下された場合には（ステップＳ７４でＹＥＳ）、マイコン２０１は、右スイッチ２２２又は左スイッチ２２３の押下に応じた制御信号を差動レシーバ２０２に出力し、差動レシーバ２０２は右スイッチ２２２又は左スイッチ２２３の押下に応じた制御信号に基づいて、映像信号の明るさ調整を実行する（ステップＳ７５）。
【００９６】
その後、操作者が映像信号の明るさが適切になったか否かを判定する（ステップＳ７６）。操作者が映像信号の明るさが適切になっていないと判定した場合には（ステップＳ７６でＮＯ）、手順はステップＳ７４に戻る。一方、操作者が映像信号の明るさが適切になったと判定した場合には（ステップＳ７６でＹＥＳ）、手順はステップＳ７７に進む。尚、ステップＳ７４でＮＯの場合及びステップＳ７６でＹＥＳの場合に、ＰＣパワースイッチ２２５が押下されると、手順はステップＳ８９に進む。
【００９７】
次に、操作者が、セレクトスイッチ２２１を押下すると（ステップＳ７７）、マイコン２０１は、青の明るさ調整モードに入り、３色ＬＥＤ２１８（EQ/Skew）を青色に点灯し、３色ＬＥＤ２１９（mode1）を消灯し、３色ＬＥＤ２２０（mode2）を青色に点灯する（ステップＳ７８）。
【００９８】
マイコン２０１は、右スイッチ２２２又は左スイッチ２２３が押下されたか否かを判定する（ステップＳ７９）。右スイッチ２２２又は左スイッチ２２３が押下されていない場合には（ステップＳ７９でＮＯ）、手順はステップＳ８２に進む。右スイッチ２２２又は左スイッチ２２３が押下された場合には（ステップＳ７９でＹＥＳ）、マイコン２０１は、右スイッチ２２２又は左スイッチ２２３の押下に応じた制御信号を差動レシーバ２０２に出力し、差動レシーバ２０２は右スイッチ２２２又は左スイッチ２２３の押下に応じた制御信号に基づいて、映像信号の明るさ調整を実行する（ステップＳ８０）。
【００９９】
その後、操作者が映像信号の明るさが適切になったか否かを判定する（ステップＳ８１）。操作者が映像信号の明るさが適切になっていないと判定した場合には（ステップＳ８１でＮＯ）、手順はステップＳ７９に戻る。一方、操作者が映像信号の明るさが適切になったと判定した場合には（ステップＳ８１でＹＥＳ）、手順はステップＳ８２に進む。尚、ステップＳ７９でＮＯの場合及びステップＳ８１でＹＥＳの場合に、ＰＣパワースイッチ２２５が押下されると、手順はステップＳ８９に進む。
【０１００】
次に、操作者が、セレクトスイッチ２２１を押下すると（ステップＳ８２）、マイコン２０１は、ノイズフィルタモードに入り、３色ＬＥＤ２１８（EQ/Skew）及び３色ＬＥＤ２１９（mode1）を青色に点灯し、３色ＬＥＤ２２０（mode2）を緑色に点灯する（ステップＳ８３）。
【０１０１】
マイコン２０１は、右スイッチ２２２又は左スイッチ２２３が押下されたか否かを判定する（ステップＳ８４）。右スイッチ２２２又は左スイッチ２２３が押下されていない場合に（ステップＳ８４でＮＯ）、操作者がセレクトスイッチ２２１を押下すると（ステップＳ８７）、手順はステップＳ３３に戻る。一方、右スイッチ２２２又は左スイッチ２２３が押下されていない場合に（ステップＳ８４でＮＯ）、操作者がＰＣパワースイッチ２２５を押下すると（ステップＳ８８）、手順はステップＳ８９に進む。
【０１０２】
右スイッチ２２２又は左スイッチ２２３が押下された場合には（ステップＳ８４でＹＥＳ）、マイコン２０１は、右スイッチ２２２又は左スイッチ２２３の押下に応じた制御信号を差動レシーバ２０２に出力し、差動レシーバ２０２は右スイッチ２２２又は左スイッチ２２３の押下に応じた制御信号に基づいて、ローパスフィルタ２０２Ａのカットオフ周波数を設定し、映像信号のノイズを除去する（ステップＳ８５）。
【０１０３】
その後、操作者が映像信号のノイズが減少したか否かを判定する（ステップＳ８６）。操作者が映像信号のノイズが減少していないと判定した場合には（ステップＳ８６でＮＯ）、手順はステップＳ８４に戻る。一方、操作者が映像信号のノイズが減少したと判定した場合には（ステップＳ８６でＹＥＳ）、手順はステップＳ８７又はステップＳ８８に進む。
【０１０４】
本実施の形態では、受信機４は、「ピッ」というブザー音を出力するブザー２０９を備えているが、ブザー２０９に代えて、音声を出力するスピーカを備えていてもよい。例えば、このスピーカーは、「明るさ調整モードに変更されました」及び「明るさが１ステップ上昇しました」のように、変更先のモード名を出力したり、各パラメータの調整値の変更内容を出力してもよい。また、ブザー２０９はモードの変更時、各パラメータの調整値の変更時、及び調整の確定時にブザー音を出力するが、例えば、調整の確定時は、モードの変更時及び各パラメータの調整値の変更時よりもブザー音を長く出力するようにしてもよい。これにより、操作者は調整内容が設定されたことを容易に把握することができる。
【０１０５】
以上説明したように、本実施の形態によれば、受信機４が、サーバ１からの映像信号の画質を調整する通常設定モードと、通常設定モードよりも詳細に映像信号の画質を調整する詳細設定モードとのいずれか一方を、映像信号の画質の調整モードとして設定するマイコン２０１と、映像信号の画質の調整値を設定する右スイッチ２２２及び左スイッチ２２３と、マイコン２０１で設定された調整モード並びに右スイッチ２２２及び左スイッチ２２３で設定された調整値に応じて、映像信号の画質を調整する差動レシーバ２０２及びディレイライン２０３とを備える。従って、受信機４は、サーバ１からの映像信号の画質を詳細に調整することができる。また、通常設定モードでは、おおまかな画質調整ができるので、短時間で映像信号の画質が良いポイントを探ることができる。
【０１０６】
また、本実施の形態では、３色ＬＥＤ２１８〜２２０が、フォーカス調整、明るさ調整、色ズレ調整及びノイズ削除の項目毎に、点灯及び消灯の状態並びに点灯色を変更するので、操作者は、どの項目を調整しているのかを容易に認識することができる。さらに、通常設定モードにおける３色ＬＥＤ２１８〜２２０の点灯及び消灯の状態並びに点灯色と、詳細設定モードにおける３色ＬＥＤ２１８〜２２０の点灯及び消灯の状態並びに点灯色とを異ならせているので、操作者は、通常設定モードの項目を調整しているのか又は詳細設定モードの項目を調整しているのかを容易に認識することができる。また、セレクトスイッチ２２１、右スイッチ２２２、左スイッチ２２３又はＰＣパワースイッチ２２５が押下される度に、ブザー２０９がブザー音を出力するので、操作者は各スイッチが押下されたことを容易に確認できる。
【０１０７】
尚、本発明は、上述した実施の形態に限定されるものではなく、その要旨を逸脱しない範囲内で種々変形して実施することが可能である。
【符号の説明】
【０１０８】
１  サーバ
３  送信機
４  受信機
５，６  モニタ
１０  遠隔ユニット
２０１  マイコン
２０２  差動レシーバ
２０３  ディレイライン
２０９  ブザー
２１８〜２２０  ３色ＬＥＤ
２２１  セレクトスイッチ
２２２  右スイッチ
２２３  左スイッチ
２２５  ＰＣパワースイッチ
【図１】
0006661274.tif 000004
【図２】
0006661274.tif 000005
【図３】
0006661274.tif 000006
【図４】
0006661274.tif 000007
【図５】
0006661274.tif 000008
【図６】
0006661274.tif 000009
【図７】
0006661274.tif 000010
【図８】
0006661274.tif 000011
【図９】
0006661274.tif 000012
【図１０】
0006661274.tif 000013
【図１１】
0006661274.tif 000014
【図１２】
0006661274.tif 000015
【図１３】
0006661274.tif 000016